(57)【要約】【課題】複数の無線装置に対して、互いに異なったバックオフカウンタを簡易に設定する技術を提供する。【解決手段】生成部３０は、ビーコンフレームを生成する。制御部２８は、生成したビーコンフレームを送信すべきタイミングとして、スロットタイムごとに減算されるバックオフカウンタを管理する。ビーコンフレームには、通信対象となる端末装置数よりも大きい値の第１値と、各端末装置に対して互いに異なるように付与した第２値であって、かつ第１値よりも小さい値の範囲で設定される第２値とが含まれている。制御部２８は、減算開始前のバックオフカウンタとして、第１値を設定する。通信部２２は、制御部２８において管理しているバックオフカウンタがゼロになった場合に、ビーコンフレームを送信可能であれば、ビーコンフレームを送信する。【選択図】図２
2011049824.tif 000002
【特許請求の範囲】
【請求項１】
ビーコンフレームを生成する生成部と、
前記生成部において生成したビーコンフレームを送信すべきタイミングとして、スロットタイムごとに減算されるバックオフカウンタを管理する管理部と、
前記管理部において管理しているバックオフカウンタがゼロになった場合に、ビーコンフレームを送信可能であれば、ビーコンフレームを送信する送信部とを備え、
前記生成部において生成したビーコンフレームには、通信対象となる端末装置数よりも大きい値の第１値と、各端末装置に対して互いに異なるように付与した第２値であって、かつ第１値よりも小さい値の範囲で設定される第２値とが含まれ、
前記管理部は、減算開始前のバックオフカウンタとして、第１値を設定することを特徴とする基地局装置。
【請求項２】
前記送信部が送信したビーコンフレームを受信した端末装置において、前記端末装置に付与した第２値を設定したバックオフカウンタがゼロになった場合に、前記端末装置から送信されたデータフレームを受信する受信部をさらに備え、
前記受信部は、前記端末装置からのデータフレームを受信した後、前記端末装置において第１値を設定したバックオフカウンタがゼロになった場合に、前記端末装置から送信されたデータフレームを受信することを特徴とする請求項１に記載の基地局装置。
【請求項３】
前記生成部は、各端末装置へ送信すべきデータを集約したデータフレームも生成し、
前記送信部は、前記管理部において管理しているバックオフカウンタがゼロになった場合に、データフレームを送信可能であれば、データフレームを送信し、
前記受信部は、各端末装置からのデータフレームとして、各端末装置からのＡＣＫ信号またはＮＡＣＫ信号を受信することを特徴とする請求項２に記載の基地局装置。
【請求項４】
前記生成部は、各端末装置へ送信すべきデータを格納したデータフレームも生成し、
前記送信部は、前記管理部において管理しているバックオフカウンタがゼロになった場合に、データフレームを送信可能であれば、各端末装置のデータフレームを巡回的に送信することを特徴とする請求項１に記載の基地局装置。
【請求項５】
基地局装置との通信を実行する端末装置であって、
前記基地局装置において、スロットタイムごとに減算されるバックオフカウンタがゼロになった場合に、前記基地局装置がビーコンフレームを送信可能であれば、前記基地局装置からのビーコンフレームを受信する受信部と、
前記受信部において受信したビーコンフレームから、前記基地局装置の通信対象となる端末装置数よりも大きい値の第１値を抽出するとともに、前記受信部において受信したビーコンフレームから、各端末装置に対して互いに異なるように付与した第２値であって、かつ第１値よりも小さい値の範囲で設定される第２値のうち、本端末装置に付与された第２値を抽出する抽出部と、
前記抽出部において抽出した第２値をバックオフカウンタに設定する設定部と、
前記設定部において設定したバックオフカウンタをスロットタイムごとに減算し、バックオフカウンタがゼロになった場合に、データフレームを送信する送信部とを備え、
前記設定部は、前記送信部がデータフレームを送信した後、前記抽出部において抽出した第１値をバックオフカウンタに設定することを特徴とする端末装置。
【発明の詳細な説明】
【技術分野】
【０００１】
本発明は、通信技術に関し、特に伝送遅延の短縮が要求されるデータを伝送する基地局装置および端末装置に関する。
【背景技術】
【０００２】
ＩＥＥＥ８０２．１１規格に準拠した無線ＬＡＮ（Ｌｏｃａｌ  Ａｒｅａ  Ｎｅｔｗｏｒｋ）システムは、アクセス方式としてＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）を使用する。ＣＳＭＡ／ＣＡでは、信号の衝突を回避するために、他の無線装置が電波を出力していれば、一定期間（ＩＦＳ：Ｉｎｔｅｒ  Ｆｒａｍｅ  Ｓｐａｃｅ）だけ待機し、再び電波が出力されていなければ、ランダムな時間後に自分が電波を出力する。このようなＣＳＭＡ／ＣＡでは、すべての無線装置が対等の関係にある。ＣＳＭＡ／ＣＡにおいて、スループットを増加させるために、ＰＣＦ（Ｐｏｉｎｔ  Ｃｏｏｒｄｉｎａｔｉｏｎ  Ｆｕｎｃｔｉｏｎ）が使用される。ＰＣＦでは、無線セル内においてポーリングに基づく集中制御によるアクセス制御である。ポーリングとは、基地局装置が各端末装置に順番にポーリング信号を送信し、基地局装置からのポーリング信号を受信した端末装置のみがフレームの送信を許可される（例えば、非特許文献１参照）。
【先行技術文献】
【非特許文献】
【０００３】
【非特許文献１】Ｍａｔｔｈｅｗ  Ｓ．  Ｇａｓｔ、８０２．１１  Ｗｉｒｅｌｅｓｓ  Ｎｅｔｗｏｒｋｓ、Ｏ’ＲＥＩＬＬＹ、２００５、ＳＥＣＯＮＤ  ＥＤＩＴＩＯＮ、ｐ．２１４−２２４
【発明の概要】
【発明が解決しようとする課題】
【０００４】
ＩＦＳとして、ＤＩＦＳ（ＤＣＦ  ＩＦＳ）、ＰＩＦＳ（ＰＣＦ  ＩＦＳ）、ＳＩＦＳ（Ｓｈｏｒｔ  ＩＦＳ）が規定されており、それらの長さが異なる。ＣＳＭＡ／ＣＡでは、ＤＩＦＳの経過後、一定期間のスロットが複数設けられている。基地局装置や端末装置等の無線装置は、バックオフカウンタに所定の値を設定するとともに、スロットの開始タイミングにてバックオフカウンタから１を減算する。また、バックオフカウンタがゼロになった場合に、無線装置は、フレームを送信する。ふたつの無線装置のバックオフカウンタが同一の値である場合、それらの無線装置から送信されたフレームの衝突が生じる。そのため、複数の無線装置に対して、互いに異なったバックオフカウンタの設定が要求される。動画像ストリームデータの伝送には、伝送遅延の低減が要求される。このような動画像ストリームデータを無線ＬＡＮシステムにおいて伝送する場合、無線ＬＡＮシステムには、複雑な処理を回避するとともに、フレームの衝突確率の低減が望まれる。そのため、簡易な処理でありながらも、複数の無線装置に対して、互いに異なったバックオフカウンタを設定することが要求される。
【０００５】
本発明はこうした状況に鑑みてなされたものであり、その目的は、複数の無線装置に対して、互いに異なったバックオフカウンタを簡易に設定する技術を提供することにある。
【課題を解決するための手段】
【０００６】
上記課題を解決するために、本発明のある態様の基地局装置は、ビーコンフレームを生成する生成部と、生成部において生成したビーコンフレームを送信すべきタイミングとして、スロットタイムごとに減算されるバックオフカウンタを管理する管理部と、管理部において管理しているバックオフカウンタがゼロになった場合に、ビーコンフレームを送信可能であれば、ビーコンフレームを送信する送信部とを備える。生成部において生成したビーコンフレームには、通信対象となる端末装置数よりも大きい値の第１値と、各端末装置に対して互いに異なるように付与した第２値であって、かつ第１値よりも小さい値の範囲で設定される第２値とが含まれ、管理部は、減算開始前のバックオフカウンタとして、第１値を設定する。
【０００７】
本発明の別の態様は、端末装置である。この装置は、基地局装置との通信を実行する端末装置であって、基地局装置において、スロットタイムごとに減算されるバックオフカウンタがゼロになった場合に、基地局装置がビーコンフレームを送信可能であれば、基地局装置からのビーコンフレームを受信する受信部と、受信部において受信したビーコンフレームから、基地局装置の通信対象となる端末装置数よりも大きい値の第１値を抽出するとともに、受信部において受信したビーコンフレームから、各端末装置に対して互いに異なるように付与した第２値であって、かつ第１値よりも小さい値の範囲で設定される第２値のうち、本端末装置に付与された第２値を抽出する抽出部と、抽出部において抽出した第２値をバックオフカウンタに設定する設定部と、設定部において設定したバックオフカウンタをスロットタイムごとに減算し、バックオフカウンタがゼロになった場合に、データフレームを送信する送信部とを備える。設定部は、送信部がデータフレームを送信した後、抽出部において抽出した第１値をバックオフカウンタに設定する。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、複数の無線装置に対して、互いに異なったバックオフカウンタを簡易に設定できる。
【図面の簡単な説明】
【００１０】
【図１】本発明の実施例に係る通信システムの構成を示す図である。
【図２】図１の基地局装置の構成を示す図である。
【図３】図３（ａ）−（ｅ）は、図２の基地局装置から送信されるビーコンフレームのフォーマットを示す図である。
【図４】図４（ａ）−（ｄ）は、図２の基地局装置から送信されるビーコンフレームの別のフォーマットを示す図である。
【図５】図１の通信システムの動作概要を示す図である。
【図６】図１の端末装置の構成を示す図である。
【図７】図１の通信システムの別の動作概要を示す図である。
【図８】図２の基地局装置による送信手順を示すフローチャートである。
【図９】図６の端末装置によるバックオフカウンタの設定手順を示すフローチャートである。
【図１０】本発明の変形例に係る通信システムの構成を示す図である。
【図１１】図１０の通信システムの動作概要を示す図である。
【図１２】本発明の変形例に係る基地局装置による送信手順を示すフローチャートである。
【図１３】本発明の別の変形例に係る通信システムの構成を示す図である。
【図１４】図１４（ａ）−（ｃ）は、図１３の基地局装置から送信されるデータフレームのフォーマットを示す図である。
【図１５】図１３の通信システムの動作概要を示す図である。
【図１６】本発明の別の変形例に係る基地局装置による送信手順を示すフローチャートである。
【発明を実施するための形態】
【００１１】
本発明を具体的に説明する前に、概要を述べる。本発明の実施例は、複数の端末装置と、これらを接続する基地局装置とによって構成される通信システムに関し、通信システムにおける複数の端末装置のそれぞれは、動画像ストリームデータを基地局装置へ送信する。例えば、各端末装置は、撮像装置に接続され、撮像装置にて撮像された動画像ストリームデータを送信する。ここで、通信システムでは、無線ＬＡＮシステムが使用されているので、アクセス方式としてＣＳＭＡ／ＣＡが使用されている。ＣＳＭＡ／ＣＡにおいて、基地局装置および端末装置（以下、「無線装置」と総称する）は、キャリアセンスにて信号を検出しなくなってから、ＤＩＦＳにわたって待機した後、連続して配置されるスロットのいずれかのタイミングにて、フレームを送信する。ここで、無線装置は、バックオフカウンタに所定の値を設定し、新たなスロットのタイミングが到来すると、バックオフカウンタから１を減算する。
【００１２】
バックオフカウンタがゼロになると、無線装置はフレームを送信する。一方、バックオフカウンタがゼロになる前に他の無線装置からフレームが送信されると、本無線装置は、バックオフカウンタの減算を停止して、フレームの送信が終了するまで待機した後、ＤＩＦＳによる待機を繰返し実行する。このような状況下において動画像ストリーミングを送信する場合、低遅延での伝送が要求される。そのためには、フレームの衝突確率の低減が要求されるとともに、送信タイミングを決定するための制御の簡易化も要求される。これらに対応するために、本実施例に係る通信システムは、次の処理を実行する。
【００１３】
基地局装置は、接続している端末装置の数に１を加えた数を「第１値」として設定する。第１値は、端末装置の数と基地局装置の数の合計値であり、通信システムに含まれる無線装置の数に相当する。また、基地局装置は、各端末装置に対して、第１値よりも小さい範囲で、互いに異なった値を付与する。以下では、この値を「第２値」と総称する。基地局装置は、自らのバックオフカウンタに第１値を設定し、バックオフカウンタがゼロになると、第１値と第２値とが含まれたビーコンフレームを送信する。各端末装置は、ビーコンフレームを受信すると、バックオフカウンタに第２値を設定する。第２値は、端末装置ごとに異なっており、かつ第１値とも異なっているので、各端末装置の送信タイミングは互いに異なる。さらに、一度フレームを送信した後、各端末装置は、バックオフカウンタに第１値を設定するので、複数の無線装置のそれぞれの送信タイミングは、異なったまま維持される。
【００１４】
図１は、本発明の実施例に係る通信システム１００の構成を示す。通信システム１００は、端末装置１０と総称される第１端末装置１０ａ、第２端末装置１０ｂ、基地局装置１２、ネットワーク１４、通信装置１６を含む。また、第１端末装置１０ａには、第１端末装置用アンテナ４０ａが含まれ、第２端末装置１０ｂには、第２端末装置用アンテナ４０ｂが含まれ、基地局装置１２には、基地局装置用アンテナ２０が含まれる。ここで、第１端末装置用アンテナ４０ａ、第２端末装置用アンテナ４０ｂは、端末装置用アンテナ４０と総称される。
【００１５】
端末装置１０は、図示しない撮像装置に接続され、撮像装置からの動画像ストリームデータを順次受けつける。端末装置１０は、動画像ストリームデータを複数のフレーム（以下、「データフレーム」という）に格納する。端末装置１０は、端末装置用アンテナ４０から、複数のデータフレームを基地局装置１２へ順次送信する。その結果、端末装置１０は、基地局装置１２との通信を実行する。
【００１６】
基地局装置１２は、一端の無線ネットワーク側において、基地局装置用アンテナ２０を介して、複数の端末装置１０のそれぞれから送信されたデータフレームを順次受信する。ここで、基地局装置１２と端末装置１０とは、無線ＬＡＮシステムに対応しており、ＣＳＭＡ／ＣＡを実行する。また、データフレームの送信に先立って、基地局装置１２と端末装置１０とは、接続処理を実行する。なお、接続処理として、公知の技術が使用されればよいので、ここでは説明を省略する。基地局装置１２は、データフレームから動画像ストリームデータを抽出する。また、基地局装置１２は、他端の有線ネットワーク側において、ネットワーク１４を接続する。基地局装置１２は、ネットワーク１４に対応したフレームに、抽出した動画像ストリームデータを格納し、フレームをネットワーク１４へ送信する。ここで、フレームの宛先は通信装置１６である。
【００１７】
ネットワーク１４は、例えば、ＩＰ（Ｉｎｔｅｒｎｅｔ  Ｐｒｏｔｏｃｏｌ）に対応した有線ネットワークである。ネットワーク１４には、基地局装置１２が接続されるとともに、通信装置１６が接続される。通信装置１６は、ネットワーク１４を介して、基地局装置１２からのフレームを受信する。通信装置１６は、フレームから動画像ストリームデータを抽出し、動画像ストリームデータを再生する。さらに、通信装置１６は、動画像ストリームデータを表示する。図示のごとく、通信システム１００には、複数の端末装置１０が接続されているので、通信装置１６は、複数種類の動画像ストリームデータを再生する。
【００１８】
図２は、基地局装置１２の構成を示す。基地局装置１２は、基地局装置用アンテナ２０、通信部２２、処理部２４、ＩＦ部２６、制御部２８を含む。また、処理部２４は、生成部３０、抽出部３２を含む。
【００１９】
通信部２２は、基地局装置用アンテナ２０を介して、図示しない端末装置１０との無線通信を実行する。前述のごとく、無線通信は無線ＬＡＮシステムに対応する。通信部２２は、送信処理として、生成部３０からのフレームを受けつけ、フレームを変調した後に、基地局装置用アンテナ２０からフレームを端末装置１０へ送信する。ここでのフレームの一例は、ビーコンフレームである。一方、通信部２２は、受信処理として、基地局装置用アンテナ２０を介して端末装置１０からのフレームを受信し、フレームを復調した後に、フレームを抽出部３２へ出力する。ここでのフレームの一例は、データフレームである。
【００２０】
制御部２８は、基地局装置１２全体の動作を制御する。ここでの動作の一例は、ＣＳＭＡ／ＣＡにおける送信タイミングの制御であるが、それに先だって、制御部２８は、端末装置１０の接続処理も実行する。具体的に説明すると、制御部２８は、通信部２２、抽出部３２を介して、端末装置１０からの接続要求を受信すると、当該端末装置１０に対して接続を許可する。さらに、制御部２８は、生成部３０、通信部２２を介して、接続の許可通知を端末装置１０へ出力する。これらの処理には公知の技術が使用されればよいので、ここでは説明を省略するが、その結果、制御部２８は、通信対象となる端末装置１０の識別番号を把握する。端末装置１０の識別番号として、例えば、端末装置１０のＭＡＣアドレスが使用される。
【００２１】
さらに、制御部２８は、通信対象となる端末装置１０の識別番号を把握することによって、通信対象となる端末装置１０の数を把握する。制御部２８は、端末装置１０の数に１を加算することによって、「第１値」を生成する。つまり、第１値は、通信対象となる端末装置１０の数よりも大きな値である。ここで、加算される「１」は、本基地局装置１２の数に相当する。また、制御部２８は、各端末装置１０に対して互いに異なるように、「第２値」を付与する。ここで、第２値は、第１値よりも小さい値の範囲で設定される。例えば、通信対象になる端末装置１０の数が、図１のごとく、２である場合、第１値は３になり、第１端末装置１０ａに対する第２値は１になり、第２端末装置１０ｂに対する第２値は２になる。
【００２２】
生成部３０は、ビーコンフレームを生成する。ここで、ビーコンフレームには、制御部２８において管理されている第１値および第２値とが含まれる。図３（ａ）−（ｅ）は、基地局装置１２から送信されるビーコンフレームのフォーマットを示す。図３（ａ）は、ビーコンフレーム全体のフォーマットである。先頭から順に、「Ｆｒａｍｅ  ｃｏｎｔｒｏｌ」、「Ｄｕｒａｔｉｏｎ」、「ＤＡ」、「ＳＡ」、「ＢＳＳＩＤ」、「Ｓｅｑ−ｃｔｌ」、「Ｆｒａｍｅ  Ｂｏｄｙ」、「ＦＣＳ」が配置されるが、これらは公知のフォーマットである。
【００２３】
図３（ｂ）は、図３（ａ）の「Ｆｒａｍｅ  Ｂｏｄｙ」のフォーマットであり、前から順に、「Ｔｉｍｅｓｔａｍｐ」、「Ｂｅａｃｏｎ  Ｉｎｔｅｒｖａｌ」、「Ｃａｐａｃｉｔｙ  Ｉｎｆｏ．」、「ＳＳＩＤ」、「ＦＨ  Ｐａｒａｍｅｔｅｒ  Ｓｅｔ」、「ＱｏＳ  Ｃａｐａｂｉｌｉｔｙ」、「Ｎｏ．  ｏｆ  Ｕｓｅｒ」、「Ａｌｌｏｃａｔｅｄ  Ｎｏ．」が配置される。ここで、「Ｎｏ．  ｏｆ  Ｕｓｅｒ」、「Ａｌｌｏｃａｔｅｄ  Ｎｏ．」は、ベンダーが自由に設定可能な要素として規定される。図３（ｃ）は、図３（ｂ）の「Ｎｏ．  ｏｆ  Ｕｓｅｒ」のフォーマットであり、前から順に「Ｅｌｅｍｅｎｔ  ＩＤ」、「Ｌｅｎｇｔｈ」、「ＯＵＩ」、「Ｎｕｍｂｅｒ  ｏｆ  Ｕｓｅｒ」が配置される。ここで、「Ｅｌｅｍｅｎｔ  ＩＤ」は「５１」に設定され、「Ｎｕｍｂｅｒ  ｏｆ  Ｕｓｅｒ」は第１値に相当する。
【００２４】
図３（ｄ）は、図３（ｂ）の「Ａｌｌｏｃａｔｅｄ  Ｎｏ．」のフォーマットであり、前から順に「Ｅｌｅｍｅｎｔ  ＩＤ」、「Ｌｅｎｇｔｈ」、「ＯＵＩ」、「Ａｌｌｏｃａｔｅｄ  Ｎｕｍｂｅｒ」が配置される。ここで、「Ｅｌｅｍｅｎｔ  ＩＤ」は「５２」に設定される。図３（ｅ）は、図３（ｄ）の「Ａｌｌｏｃａｔｅｄ  Ｎｕｍｂｅｒ」のフォーマットであり、端末装置１０の数に応じて、「Ａｓｓｏｃｉａｔｉｏｎ  ＩＤ」、「Ｎｕｍｂｅｒ」が繰返し配置される。「Ａｓｓｏｃｉａｔｉｏｎ  ＩＤ」は、端末装置１０の識別番号であり、例えば、前述のＭＡＣアドレスでもよい。「Ｎｕｍｂｅｒ」は、第２値に相当する。第１値と第２値とは、図３（ｂ）において、別の要素に含まれている。しかしながら、これらが同一の要素に含まれてもよい。ここでは、その一例を説明する。
【００２５】
図４（ａ）−（ｄ）は、基地局装置１２から送信されるビーコンフレームの別のフォーマットを示す。図４（ａ）は、ビーコンフレーム全体のフォーマットであるが、図３（ａ）と同様であるので説明を省略する。図４（ｂ）は、図４（ａ）の「Ｆｒａｍｅ  Ｂｏｄｙ」のフォーマットであり、図３（ｂ）の「Ｎｏ．  ｏｆ  Ｕｓｅｒ」、「Ａｌｌｏｃａｔｅｄ  Ｎｏ．」が「Ｂａｃｋｏｆｆ  Ｐａｒａｍｅｔｅｒ  Ｓｅｔ」に変更されている。「Ｂａｃｋｏｆｆ  Ｐａｒａｍｅｔｅｒ  Ｓｅｔ」もベンダーが自由に設定可能な要素として規定される。
【００２６】
図４（ｃ）は、図４（ｂ）の「Ｂａｃｋｏｆｆ  Ｐａｒａｍｅｔｅｒ  Ｓｅｔ」のフォーマットであり、前から順に「Ｅｌｅｍｅｎｔ  ＩＤ」、「Ｌｅｎｇｔｈ」、「ＯＵＩ」、「Ｎｕｍｂｅｒ  ｏｆ  Ｕｓｅｒ」、「Ａｌｌｏｃａｔｅｄ  Ｎｕｍｂｅｒ」が配置される。ここで、「Ｅｌｅｍｅｎｔ  ＩＤ」は「５１」に設定され、「Ｎｕｍｂｅｒ  ｏｆ  Ｕｓｅｒ」は第１値に相当する。また、図４（ｄ）は、図４（ｃ）の「Ａｌｌｏｃａｔｅｄ  Ｎｕｍｂｅｒ」のフォーマットであり、図５（ｅ）と同様に示される。そのため、「Ｎｕｍｂｅｒ」が第２値に相当する。図２に戻る。生成部３０は、ビーコンフレームを通信部２２へ出力する。
【００２７】
制御部２８は、前述のごとく、ＣＳＭＡ／ＣＡにおける送信タイミングも制御する。その際、制御部２８は、通信部２２を介して受信電力を受けつける。受信電力がしきい値よりも大きければ、制御部２８は、いずれかの端末装置１０がフレームを送信していると判断する。一方、受信電力がしきい値よりも大きい状態がしきい値以下の状態に遷移すると、制御部２８は、ＤＩＦＳにわたって待機する。ＤＩＦＳの終了後、一定期間にわたるスロットが連続的に配置される。制御部２８は、スロットタイムごとにバックオフカウンタを減算させるように、バックオフカウンタを管理する。ここで、スロットは、ビーコンフレームを送信すべきタイミングとして規定される。前述のごとく、バックオフカウンタがゼロになった場合に、ビーコンフレームを送信可能であれば、制御部２８は、生成部３０および制御部２８にビーコンフレームの送信を指示する。ビーコンフレームには、送信周期が予め規定されており、送信周期が到来した場合が、「ビーコンフレームを送信可能である」とされる。一方、バックオフカウンタがゼロになる前に、受信電力がしきい値よりも大きくなると、制御部２８は、バックオフカウンタの減算を停止するとともに、スロットを廃止し、未送信期間に遷移する。
【００２８】
制御部２８は、減算開始前のバックオフカウンタとして第１値を設定する。また、バックオフカウンタがゼロになった場合に、制御部２８は、バックオフカウンタとして第１値を再び設定する。つまり、基地局装置１２は、第１値に対応した数のスロットごとに、送信タイミングを有する。一方、ビーコンフレームによって、第１値および第２値は、各端末装置１０に通知される。端末装置１０も、基地局装置１２と同様に、ＣＳＭＡ／ＣＡにおける送信タイミングを制御する。その際、端末装置１０は、第２値をバックオフカウンタに設定した後、バックオフカウンタがゼロになった場合に、データフレームを送信する。前述のごとく、第２値は、端末装置１０ごとに異なるように決定されているので、各端末装置１０の送信タイミングが異なる。また、それらの送信タイミングは、第１値をバックオフカウンタに設定した基地局装置１２の送信タイミングとも異なる。さらに、各端末装置１０は、バックオフカウンタがゼロになった場合に、第１値をバックオフカウンタに設定する。その結果、複数の端末装置１０のそれぞれの送信タイミングは、互いに異なったまま維持される。また、端末装置１０と基地局装置１２との間においても、送信タイミングは、異なったまま維持される。
【００２９】
図５は、通信システム１００の動作概要を示す。上段から順に、基地局装置１２、第１端末装置１０ａ、第２端末装置１０ｂの動作タイミングが示される。また、横軸が時間に相当する。さらに、「ＢＣ」は、バックオフカウンタに相当する。基地局装置１２がビーコンフレームを送信している間にわたって、第１端末装置１０ａおよび第２端末装置１０ｂは未送信である。なお、第１値は「３」であり、第１端末装置１０ａに対する第２値は「１」であり、第２端末装置１０ｂに対する第２値は「２」である。ビーコンフレームの送信終了後、基地局装置１２、第１端末装置１０ａ、第２端末装置１０ｂは、ＤＩＦＳにわたって待機してから、スロットタイミングの到来とともにバックオフカウンタを減算させる。
【００３０】
第１端末装置１０ａは、バックオフカウンタがゼロになったので、データフレームを送信する。一方、基地局装置１２と第２端末装置１０ｂとは、バックオフカウンタの減算を中止して、その値を維持するとともに、未送信になる。データフレームの送信終了後、基地局装置１２は、ＳＩＦＳにわたって待機してから、ＡＣＫ信号を送信する。ＡＣＫ信号の送信終了後、前述の処理を繰返し実行する。その際、第１端末装置１０ａは、バックオフカウンタに第１値を設定してから減算を実行する。また、基地局装置１２および第２端末装置１０ｂは、維持した値のバックオフカウンタに対して減算を実行する。図２に戻る。
【００３１】
通信部２２は、制御部２８から、バックオフカウンタがゼロになった場合に送信の指示を受けつけ、ビーコンフレームを送信する。一方、通信部２２は、ビーコンフレームを受信した端末装置１０において、端末装置１０に付与した第２値を設定したバックオフカウンタがゼロになった場合に、端末装置１０から送信されたデータフレームを受信する。また、通信部２２は、端末装置１０からのデータフレームを受信した後、端末装置１０において第１値を設定したバックオフカウンタがゼロになった場合に、端末装置１０から送信されたデータフレームを受信する。通信部２２は、受信したデータフレームを抽出部３２へ出力する。抽出部３２は、通信部２２からのデータフレームを受けつけ、データを抽出する。データとは、例えば、動画像ストリームデータである。抽出部３２は、動画像ストリームデータをＩＦ部２６へ出力するとともに、抽出が成功した場合にその旨を制御部２８へ通知する。
【００３２】
制御部２８は、抽出部３２からの通知を受けつけると、生成部３０、通信部２２に対して、ＡＣＫ信号の生成および送信を指示する。図５に示したように、ＡＣＫ信号は、ＳＩＦＳの経過後、送信される。なお、制御部２８は、抽出部３２からの通知を受けつけなければ、抽出部３２、通信部２２に対して、ＮＡＣＫ信号の生成および送信を指示してもよい。ＩＦ部２６は、図示しないネットワーク１４とのインターフェイスである。また、ＩＦ部２６は、ネットワーク１４からのフレームを受信するとともに、ネットワーク１４へフレームを送信する。ここでは、ＩＦ部２６は、抽出部３２からの動画像ストリームデータを受けつけ、これをフレームに格納して、ネットワーク１４へ送信する。
【００３３】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３４】
図６は、端末装置１０の構成を示す。端末装置１０は、端末装置用アンテナ４０、通信部４２、処理部４４、ＩＦ部４６、制御部４８を含む。また、処理部４４は、生成部５０、抽出部５２を含み、制御部４８は、設定部５４を含む。端末装置用アンテナ４０、通信部４２、処理部４４、生成部５０、抽出部５２、ＩＦ部４６、制御部４８は、図２の基地局装置用アンテナ２０、通信部２２、処理部２４、生成部３０、抽出部３２、ＩＦ部２６、制御部２８に対応する。ここでは、差異を中心に説明する。
【００３５】
通信部４２は、受信処理として、図示しない基地局装置１２からのビーコンフレームを受信する。前述のごとく、ビーコンフレームは、基地局装置１２において、スロットタイムごとに減算されるバックオフカウンタがゼロになった場合に、送信可能であれば送信される。抽出部５２は、通信部４２において受信したビーコンフレームから、第１値および第２値を抽出する。なお、前述のごとく、複数の第２値がビーコンフレームに含まれている場合があり、その際、抽出部５２は、自らの識別番号をもとにひとつの第２値を抽出する。抽出部５２は、第１値および第２値を設定部５４へ出力する。
【００３６】
設定部５４は、抽出部５２からの第１値および第２値を受けつける。これらを受けつけた後、データフレームの送信を実行していなければ、設定部５４は、第２値をバックオフカウンタに設定する。一方、データフレームを送信した後、設定部５４は、第１値をバックオフカウンタに設定する。なお、第１値および第２値を受けつけていない場合、設定部５４は、従来方式にてバックオフカウンタを設定する。例えば、ランダムに生成された値がバックオフカウンタに設定される。制御部４８は、設定部５４によって設定されたバックオフカウンタをもとに、ＣＳＭＡ／ＣＡの送信タイミングを制御する。
【００３７】
ＩＦ部４６は、図示しない外部機器とのインターフェイスである。例えば、ＩＦ部４６は、外部機器として撮像装置を接続し、撮像装置からの動画像ストリームデータを入力する。入力された動画像ストリームデータには、例えば、ＭＰＥＧ（Ｍｏｖｉｎｇ  Ｐｉｃｔｕｒｅ  Ｅｘｐｅｒｔｓ  Ｇｒｏｕｐ）等の圧縮処理がなされていてもよいが、それは公知の技術でよいので、ここでは説明を省略する。ＩＦ部２６は、動画像ストリームデータを生成部５０へ出力する。また、ＩＦ部４６は、外部機器として表示装置を接続している場合、抽出部５２から受けつけたデータを表示装置へ出力してもよい。
【００３８】
生成部５０は、ＩＦ部４６からの動画像ストリームデータを受けつけ、動画像ストリームデータを格納するようにデータフレームを生成する。なお、データフレームの生成には公知の技術が使用されればよいので、ここでは説明を省略する。通信部４２は、制御部４８からの指示に応じて、データフレームを端末装置用アンテナ４０から送信する。
【００３９】
図７は、通信システム１００の別の動作概要を示す。図７は、図５と同様に示されるが、最下段に第３端末装置１０ｃが追加されている。ここで、第３端末装置１０ｃは、初期の段階において、第１値および第２値を受けつけていない。そのため、第３端末装置１０ｃは、初期の段階において、従来方式のランダムナンバー生成器によってバックオフカウンタが「８」に設定されている。一方、初期の段階において、基地局装置１２、第１端末装置１０ａ、第２端末装置１０ｂに対して、第１値および第２値は、図５と同様に設定されている。基地局装置１２からのビーコンフレームには、第１値および第２値が含まれている。
【００４０】
ここで、第１値は、第３端末装置１０ｃも含まれた「４」に更新されており、第３端末装置１０ｃに対する第２値は「３」とされている。ビーコンフレーム送信後のＤＦＩＳが経過した後、第１端末装置１０ａと第２端末装置１０ｂは、それまでのバックオフカウンタ「１」、「２」をそれぞれ再び設定する。一方、第３端末装置１０ｃは、新たに通知された第２値をバックオフカウンタに設定する。また、基地局装置１２は、新たな第１値をバックオフカウンタに設定する。第１端末装置１０ａから第３端末装置１０ｃも、バックオフカウンタがゼロになった後、新たな第１値をバックオフカウンタに設定する。
【００４１】
以上の構成による通信システム１００の動作を説明する。図８は、基地局装置１２による送信手順を示すフローチャートである。制御部２８は、バックオフカウンタがゼロでなければ（Ｓ１０のＮ）、未送信とする（Ｓ１２）。一方、制御部２８は、バックオフカウンタがゼロになり（Ｓ１０のＹ）、ビーコンフレームを送信可能であれば（Ｓ１４のＹ）、生成部３０、通信部２２に対して、ビーコンフレームを送信するように指示する（Ｓ１６）。制御部２８は、ビーコンフレームを送信可能でなければ（Ｓ１４のＮ）、バックオフカウンタに第１値を設定する（Ｓ１８）。
【００４２】
図９は、端末装置１０によるバックオフカウンタの設定手順を示すフローチャートである。設定部５４は、ビーコンフレームを受信していなければ（Ｓ３０のＮ）、従来方式にてバックオフカウンタを設定する（Ｓ３２）。一方、設定部５４は、ビーコンフレームを受信しており（Ｓ３０のＹ）、最初の送信であれば（Ｓ３４のＹ）、バックオフカウンタに、割り当てられた第２値を設定する（Ｓ３６）。最初の送信でなければ（Ｓ３４のＮ）、設定部５４は、バックオフカウンタに第１値を設定する（Ｓ３８）。
【００４３】
次に、変形例を説明する。実施例においてデータフレームは、端末装置から基地局装置へ送信されていた。一方、変形例では、基地局装置から端末装置へデータフレームが送信される場合を想定する。その際、通信装置は、動画像ストリームデータを配信するためのサーバ機能を有する。また、処理を一般化するために、基地局装置へデータフレームを送信する端末装置も含まれる。
【００４４】
図１０は、本発明の変形例に係る通信システム１００の構成を示す。図１０は、図１と比較して、第３端末装置１０ｃがさらに含まれ、第３端末装置１０ｃは第３端末装置用アンテナ４０ｃを含む。また、第３端末装置１０ｃ、第３端末装置用アンテナ４０ｃも端末装置１０、端末装置用アンテナ４０とそれぞれ総称される。通信装置１６は、動画像ストリームデータを配信するためのサーバである。基地局装置１２は、ネットワーク１４を介して、通信装置１６からの動画像ストリームデータを受信する。基地局装置１２は、動画像ストリームデータを格納するようにデータフレームを生成し、第１端末装置１０ａおよび第２端末装置１０ｂへデータフレームを送信する。
【００４５】
第１端末装置１０ａおよび第２端末装置１０ｂは、基地局装置１２からのデータフレームを受信し、動画像ストリームデータを再生する。さらに、第１端末装置１０ａおよび第２端末装置１０ｂは、図示しない表示装置に、再生した動画像ストリームデータを表示する。一方、第３端末装置１０ｃは、図示しない撮像装置に接続され、撮像装置からの動画像ストリームデータを順次受けつける。第３端末装置１０ｃは、動画像ストリームデータを格納するようにデータフレームを生成し、データフレームを基地局装置１２へ送信する。動画像ストリームデータは、最終的に通信装置１６へ送信される。
【００４６】
変形例に係る基地局装置１２の構成は、図２と同様のタイプである。ここでは、差異を中心に説明する。ＩＦ部２６は、図示しないネットワーク１４から、動画像ストリームデータが格納されたフレームを受信する。なお、動画像ストリームデータは、第１端末装置１０ａと第２端末装置１０ｂとに対して同一であってもよいし、別であってもよい。制御部２８は、実施例と同様に第１値を生成する。なお、図１０の第１端末装置１０ａおよび第２端末装置１０ｂのごとく、下り回線のみのデータフレームが送信される端末装置１０の数は、第１値に含まれない。図１０の場合、基地局装置１２と第３端末装置１０ｃとの合計「２」が第１値とされる。
【００４７】
また、図１０のように、上り回線のデータフレームを送信する端末装置１０の数が「１」である場合、制御部２８は、第２値を生成しなくてもよい。その際、端末装置１０では、従来方式によってバックオフカウンタが設定される。一方、上り回線のデータフレームを送信する端末装置１０の数が「２」以上である場合、第２値が生成されてもよい。生成部３０は、制御部２８からの指示をもとに、ビーコンフレームを生成するとともに、動画像ストリームデータが格納されたデータフレームも生成する。これらは、第１端末装置１０ａおよび第２端末装置１０ｂへ送信すべき動画像ストリームデータを格納したデータフレームともいえる。
【００４８】
制御部２８は、実施例と同様に送信タイミングを制御する。制御部２８は、バックオフカウンタがゼロになった場合に、ビーコンフレームを送信可能であれば、実施例と同様に、生成部３０、通信部２２へビーコンフレームの送信を指示する。一方、ビーコンフレームを送信可能でなく、データフレームを送信可能であれば、制御部２８は、生成部３０、通信部２２へデータフレームの送信を指示する。データフレームを送信する際、制御部２８は、端末装置１０ごとにデータフレームを巡回的に送信させる。つまり、データフレームの送信に対して、ラウンドロビンが適用される。具体的に説明すると、所定の送信タイミングにおいて、通信部２２は、第１端末装置１０ａ宛のデータフレームを送信し、次の送信タイミングにおいて、通信部２２は、第２端末装置１０ｂ宛のデータフレームを送信する。
【００４９】
図１１は、通信システム１００の動作概要を示す。図１１は、図５、図７と同様に示される。なお、図１１では、基地局装置１２においてビーコンフレームを送信可能なタイミングは到来しなかったものとされている。基地局装置１２は、バックオフカウンタに第１値を設定し、バックオフカウンタがゼロになると、第１端末装置１０ａ宛のデータフレームを送信する。当該データフレームは、図１１において「データ１」と示されている。一方、第３端末装置１０ｃでは、従来方式によってバックオフカウンタが設定されている。第１端末装置１０ａは、データフレームを受信すると、ＡＣＫ信号を送信する。
【００５０】
第３端末装置１０ｃのバックオフカウンタがゼロになるよりも、基地局装置１２のバックオフカウンタが先にゼロになるので、基地局装置１２は、第２端末装置１０ｂ宛のデータフレームを送信する。当該データフレームは、図１１において「データ２」と示されている。第２端末装置１０ｂは、当該データフレームを受信すると、ＡＣＫ信号を送信する。基地局装置１２のバックオフカウンタがゼロになるよりも、第３端末装置１０ｃのバックオフカウンタが先にゼロになるので、第３端末装置１０ｃは、基地局装置１２へデータフレームを送信する。当該データフレームは、図１１において「データＡＰ」と示されている。基地局装置１２は、当該データフレームを受信すると、ＡＣＫ信号を送信する。その後、基地局装置１２は、次にバックオフカウンタがゼロになったタイミングで、第１端末装置１０ａ宛のデータフレームを再び送信する。変形例に係る端末装置１０の構成は、図６と同様のタイプであるので、ここでは説明を省略する。
【００５１】
図１２は、本発明の変形例に係る基地局装置１２による送信手順を示すフローチャートである。制御部２８は、バックオフカウンタがゼロでなければ（Ｓ５０のＮ）、未送信とする（Ｓ５２）。一方、制御部２８は、バックオフカウンタがゼロになり（Ｓ５０のＹ）、ビーコンフレームを送信可能であれば（Ｓ５４のＹ）、生成部３０、通信部２２に対して、ビーコンフレームを送信するように指示する（Ｓ５６）。制御部２８は、ビーコンフレームを送信可能でなければ（Ｓ５４のＮ）、ラウンドロビンにてひとつのデータフレームを送信するように指示する（Ｓ５８）。
【００５２】
次に、別の変形例を説明する。別の変形例も、変形例と同様に、基地局装置から端末装置へデータフレームが送信される場合を想定する。別の変形例は、変形例よりも効率的にデータフレームを送信することを目的とする。
【００５３】
図１３は、本発明の別の変形例に係る通信システム１００の構成を示す。図１３は、図１と同様に示されるが、基地局装置１２から端末装置１０へデータフレームが送信される。基地局装置１２は、ネットワーク１４を介して、通信装置１６からの動画像ストリームデータを受信する。基地局装置１２は、動画像ストリームデータを格納するようにデータフレームを生成する。その際、基地局装置１２は、第１端末装置１０ａ宛の動画像ストリームデータと第２端末装置１０ｂ宛の動画像ストリームデータとをひとつのデータフレームに集約する。基地局装置１２は、データフレームを送信する。第１端末装置１０ａおよび第２端末装置１０ｂは、基地局装置１２からのデータフレームを受信し、自らが宛先の動画像ストリームデータをそれぞれ抽出する。
【００５４】
変形例に係る基地局装置１２の構成は、図２と同様のタイプである。ここでは、実施例および変形例との差異を中心に説明する。制御部２８は、実施例と同様に、第１値および第２値を生成する。図１３の場合、第１値は「３」であり、第１端末装置１０ａに対する第２値は「１」であり、第２端末装置１０ｂに対する第２値は「２」である。生成部３０は、制御部２８からの指示をもとに、ビーコンフレームを生成する。また、生成部３０は、複数の端末装置１０に対する動画像ストリームデータを集約するように、データフレームを生成する。
【００５５】
図１４（ａ）−（ｃ）は、基地局装置１２から送信されるデータフレームのフォーマットを示す。図１４（ａ）は、データフレーム全体のフォーマットであり、先頭から順に、「Ｐｒｅａｍｂｌｅ」、「ＰＳＤＵ」が配置されている。ＰＳＤＵは、集約されたデータに相当する。図１４（ｂ）は、図１４（ａ）のＰＳＤＵのフォーマットを示す。前から順に、「Ｈｅａｄｅｒ」、「ＭＰＤＵ１」が配置されているが、それらは、第１端末装置１０ａに対する制御情報、第１端末装置１０ａに対するデータにそれぞれ相当する。このようにＨｅａｄｅｒとＭＰＤＵとの組合せが、ひとつの端末装置１０に対応するように配置される。図１４（ｂ）では、第１端末装置１０ａから第Ｎ端末装置１０ｎに対応した組合せが配置される。図１４（ｃ）は、図１４（ａ）のＨｅａｄｅｒのフォーマットであり、前から順に、「Ｌｅｎｇｔｈ」、「ＣＲＣ」、「Ｓｉｇｎａｔｕｒｅ」が配置される。図２に戻る。
【００５６】
制御部２８は、実施例と同様に送信タイミングを制御する。制御部２８は、バックオフカウンタがゼロになった場合に、ビーコンフレームを送信可能であれば、実施例と同様に、生成部３０、通信部２２へビーコンフレームの送信を指示する。一方、ビーコンフレームを送信可能でなく、データフレームを送信可能であれば、制御部２８は、生成部３０、通信部２２へ集約したデータフレームの送信を指示する。
【００５７】
通信部２２は、ビーコンフレームを受信した端末装置１０において、端末装置１０に付与した第２値を設定したバックオフカウンタがゼロになった場合に、端末装置１０から送信されたＡＣＫ信号を受信する。また、通信部２２は、端末装置１０からのＡＣＫ信号を受信した後、端末装置１０において第１値を設定したバックオフカウンタがゼロになった場合に、端末装置１０から送信されたＡＣＫ信号を受信する。当該ＡＣＫ信号は、次のデータフレームに対するものである。つまり、通信部２２は、実施例でのデータフレームとして、ＡＣＫ信号またはＮＡＣＫ信号を受信する。
【００５８】
別の変形例に係る端末装置１０の構成は、図６と同様のタイプである。通信部４２は、受信処理として、図示しない基地局装置１２からのビーコンフレームを受信する。また、通信部４２は、受信処理として、基地局装置１２からのデータフレームも受信する。前述のごとく、データフレームには、複数の端末装置１０宛の動画像ストリームデータが集約されているので、抽出部５２は、自らが宛先とされている動画像ストリームデータを抽出する。抽出部５２は、抽出した動画像ストリームデータをＩＦ部４６へ出力する。制御部４８は、通信部４２から、抽出成功を通知されると、生成部５０、通信部４２に対して、ＡＣＫ信号の生成および送信を指示する。
【００５９】
一方、抽出部５２は、通信部４２において受信したビーコンフレームから、第１値および第２値を抽出する。設定部５４は、抽出部５２からの第１値および第２値を受けつける。これらを受けつけた後、ＡＣＫ信号の送信を実行していなければ、設定部５４は、第２値をバックオフカウンタに設定する。一方、ＡＣＫ信号を送信した後、設定部５４は、第１値をバックオフカウンタに設定する。制御部４８は、設定部５４に設定されたバックオフカウンタをもとに、ＣＳＭＡ／ＣＡについての送信タイミングを制御する。生成部５０は、ＡＣＫ信号を生成し、通信部４２は、制御部４８からの指示に応じて、ＡＣＫ信号を端末装置用アンテナ４０から送信する。
【００６０】
図１５は、通信システム１００の動作概要を示す。図１５は、図５、図７、図１１と同様に示される。なお、図１５では、基地局装置１２においてビーコンフレームを送信可能なタイミングは省略されている。基地局装置１２のバックオフカウンタがゼロである場合、第１端末装置１０ａのバックオフカウンタが１になり、第２端末装置１０ｂのバックオフカウンタが２になる。基地局装置１２は、バックオフカウンタがゼロになると、データフレームを送信する。データフレームの送信が終了した後、第１端末装置１０ａは、バックオフカウンタがゼロになると、基地局装置１２へＡＣＫ信号を送信する。これにつづいて、第２端末装置１０ｂは、バックオフカウンタがゼロになると、基地局装置１２へＡＣＫ号信号を送信する。
【００６１】
変形例では、基地局装置１２から送信されるデータフレームには、ひとつの端末装置１０に対するデータのみが含まれている。そのため、当該端末装置１０が、すぐにＡＣＫ信号を送信すれば、衝突の発生確率が低減される。一方、別の変形例では、基地局装置１２から送信されるデータフレームには、複数の端末装置１０に対するデータが集約されている。そのため、複数の端末装置１０のそれぞれからＡＣＫ信号が送信されうる。そのため、ＡＣＫ信号間の衝突確率を低減するために、バックオフカウンタによって送信タイミングが制御される。
【００６２】
図１６は、本発明の別の変形例に係る基地局装置１２による送信手順を示すフローチャートである。制御部２８は、バックオフカウンタがゼロでなければ（Ｓ７０のＮ）、未送信とする（Ｓ７２）。一方、制御部２８は、バックオフカウンタがゼロになり（Ｓ７０のＹ）、ビーコンフレームを送信可能であれば（Ｓ７４のＹ）、生成部３０、通信部２２に対して、ビーコンフレームを送信するように指示する（Ｓ７６）。制御部２８は、ビーコンフレームを送信可能でなければ（Ｓ７４のＮ）、集約されたデータフレームを送信するように指示する（Ｓ７８）。
【００６３】
本発明の実施例によれば、各端末装置に対して互いに異なるように第２値を決定して、端末装置に通知するので、第２値を簡易に通知できる。また、端末装置の数より大きくなるように第１値を決定して、端末装置に通知するので、第１値を簡易に通知できる。また、端末装置は、第２値をバックオフカウンタに設定するので、複数の端末装置間の送信タイミングをずらすことができる。また、基地局装置は、第２値とは異なった第１値をバックオフカウンタに設定に設定するので、端末装置との送信タイミングをずらすことができる。
【００６４】
また、基地局装置および端末装置の送信タイミングが互いにずらされるので、フレームの衝突確率を低減できる。また、端末装置は、フレームを送信した後、第１値をバックオフカウンタに設定するので、基地局装置および端末装置の間において、互いに異なった送信タイミングの関係を維持できる。また、基地局装置および端末装置の間において、互いに異なった送信タイミングの関係が維持されるので、フレームの衝突確率の低減を維持できる。また、複数の端末装置に対して、互いに異なったバックオフカウンタを簡易に設定できる。
【００６５】
また、基地局装置は、データフレームを巡回的に送信するので、下り回線のデータフレームを送信する場合でも、本発明を適用できる。また、データフレームを受信するだけの端末装置の数を第１値に含めないので、第１値を小さくできる。また、第１値が小さくなるので、バックオフカウンタを小さくでき、データフレームの送信間隔を短縮できる。また、データフレームの送信間隔が短縮されるので、リアルタイム性の高いデータを低遅延にて送信できる。
【００６６】
また、複数の端末装置へのデータを集約して送信するので、フレームの利用効率を低減できる。また、複数の端末装置のそれぞれに対して第１値と第２値とを通知するので、複数の端末装置のそれぞれに対して、互いに異なったバックオフカウンタに設定できる。また、複数の端末装置のそれぞれに対して、互いに異なったバックオフカウンタが設定されるので、複数の端末装置の送信タイミングをずらすことができる。また、複数の端末装置の送信タイミングがずらされるので、ＡＣＫ信号の衝突確率を低減できる。
【００６７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６８】
本発明の実施例において、端末装置１０あるいは基地局装置１２では、データフレームに動画像ストリームデータが格納されている。しかしながらこれに限らず例えば、動画像ストリームデータ以外のデータが、データフレームに格納されてもよい。本変形例によれば、さまざまなデータをデータフレームに格納できる。
【符号の説明】
【００６９】
１０  端末装置、  １２  基地局装置、  １４  ネットワーク、  １６  通信装置、  ２０  基地局装置用アンテナ、  ２２  通信部、  ２４  処理部、  ２６  ＩＦ部、  ２８  制御部、  ３０  生成部、  ３２  抽出部、  ４０  端末装置用アンテナ、  ４２  通信部、  ４４  処理部、  ４６  ＩＦ部、  ４８  制御部、  ５０  生成部、  ５２  抽出部、  ５４  設定部、  １００  通信システム。
【図１】
2011049824.tif 000003
【図２】
2011049824.tif 000004
【図３】
2011049824.tif 000005
【図４】
2011049824.tif 000006
【図５】
2011049824.tif 000007
【図６】
2011049824.tif 000008
【図７】
2011049824.tif 000009
【図８】
2011049824.tif 000010
【図９】
2011049824.tif 000011
【図１０】
2011049824.tif 000012
【図１１】
2011049824.tif 000013
【図１２】
2011049824.tif 000014
【図１３】
2011049824.tif 000015
【図１４】
2011049824.tif 000016
【図１５】
2011049824.tif 000017
【図１６】
2011049824.tif 000018